(57)【要約】【課題】ユーザーの多様な要望に応じることができる屋外換気口、および、その水切板を提供する。【解決手段】屋外換気口は、外壁に設置されるベース２０と、ベース２０を覆うフードと、ベース２０の下方に配置され、外壁から離れるように流体を案内する水切板１００とを有する。フードには、フードをベース２０に取り付けるための固定板金７０が取り付けられている。固定板金７０には、凹部２６に取り付けるためのフード側取付部７３が形成されている。水切板１００には、ベース２０の凹部２６に取り付けるための水切板側取付部１４０が形成されている。フード側取付部７３および水切板側取付部１４０は、共通固定ねじ９４により凹部２６に固定される。このため、ユーザーは、水切板１００がベース２０に取り付けられた使用形態、および、水切板１００がベース２０から取り外された使用形態を任意に選択できる。【選択図】図５
2015194328.tif 000002
【特許請求の範囲】
【請求項１】
外壁に設置されるベースと、
前記ベースと個別に形成され、または、前記ベースと一体化して形成され、前記ベースを覆うフードと、
前記ベースの下方に配置され、外壁から離れるように流体を案内する水切板と
を有し、
前記ベースに取り付けること、および、前記ベースから取り外すことができるように前記水切板が構成されている
屋外換気口。
【請求項２】
前記フードが前記ベースと個別に形成され、
前記フードを前記ベースの下部に取り付けるための取付部であるフード側取付部が前記フードに形成され、または、前記フード側取付部が前記フードに取り付けられ、
前記水切板を前記ベースの下部に取り付けるための取付部である水切板側取付部が前記水切板に形成されている、または、前記水切板側取付部が前記水切板に取り付けられている
請求項１に記載の屋外換気口。
【請求項３】
前記フード側取付部および前記水切板側取付部を互いに重ね合わせ、その取付部を共通のねじにより前記ベースに固定できるように前記フード側取付部および前記水切板側取付部が構成されている
請求項２に記載の屋外換気口。
【請求項４】
前記フード側取付部が前記ベース上に直接的または間接的に配置され、前記水切板側取付部が前記フード側取付部上に直接的または間接的に配置される
請求項３に記載の屋外換気口。
【請求項５】
前記ベースの下部に、前記フード側取付部および前記水切板側取付部を配置するための取付面が形成され、前記取付面が前記ベースの上方から下方に向かうにつれて前記ベースの背面側に後退するように傾斜している
請求項２〜４のいずれか一項に記載の屋外換気口。
【請求項６】
前記ベースの下部に凹部が形成され、その凹部に前記フード側取付部および前記水切板側取付部が取り付けられる
請求項２〜５のいずれか一項に記載の屋外換気口。
【請求項７】
前記フード側取付部および前記水切板側取付部の少なくとも一方の幅と一致するように、または、おおよそ一致するように前記凹部の幅が設定されている
請求項３を直接的または間接的に引用する請求項６に記載の屋外換気口。
【請求項８】
外壁に設置されるベースと、
前記ベースと個別に形成され、または、前記ベースと一体化して形成され、前記ベースを覆うフードと、
前記ベースの下方に配置され、外壁から離れるように流体を案内する水切板と
を有し、
前記フードに取り付けること、および、前記フードから取り外すことができるように前記水切板が構成されている
屋外換気口。
【請求項９】
雄および雌の関係を有し、互いに結合されることにより前記ベースの上部と前記フードの上部との結合を強める上部突起および上部受部をさらに有し、前記ベースおよび前記フードの一方に前記上部突起および前記上部受部の一方が形成され、前記ベースおよび前記フードの他方に前記上部突起および前記上部受部の他方が形成され、
前記ベースに前記上部突起が形成され、前記フードに前記上部受部が形成される場合には、前記ベースに直接的に前記上部突起が形成され、または、前記ベースに取り付けられる別の部材に前記上部突起が形成され、その部材が前記ベースに取り付けられ、前記フードに直接的に前記上部受部が形成され、または、前記フードに取り付けられる別の部材に前記上部受部が形成され、その部材が前記フードに取り付けられ、
前記ベースに前記上部受部が形成され、前記フードに前記上部突起が形成される場合には、前記ベースに直接的に前記上部受部が形成され、または、前記ベースに取り付けられる別の部材に前記上部受部が形成され、その部材が前記ベースに取り付けられ、前記フードに直接的に前記上部突起が形成され、または、前記フードに取り付けられる別の部材に前記上部突起が形成され、その部材が前記フードに取り付けられる
請求項１〜８のいずれか一項に記載の屋外換気口。
【請求項１０】
雄および雌の関係を有し、互いに結合されることにより前記ベースの側部と前記フードの側部との結合を強める側部突起および側部受部をさらに有し、前記ベースおよび前記フードの一方に前記側部突起および前記側部受部の一方が形成され、前記ベースおよび前記フードの他方に前記側部突起および前記側部受部の他方が形成され、
前記ベースに前記側部突起が形成され、前記フードに前記側部受部が形成される場合には、前記ベースに直接的に前記側部突起が形成され、または、前記ベースに取り付けられる別の部材に前記側部突起が形成され、その部材が前記ベースに取り付けられ、前記フードに直接的に前記側部受部が形成され、または、前記フードに取り付けられる別の部材に前記側部受部が形成され、その部材が前記フードに取り付けられ、
前記ベースに前記側部受部が形成され、前記フードに前記側部突起が形成される場合には、前記ベースに直接的に前記側部受部が形成され、または、前記ベースに取り付けられる別の部材に前記側部受部が形成され、その部材が前記ベースに取り付けられ、前記フードに直接的に前記側部突起が形成され、または、前記フードに取り付けられる別の部材に前記側部突起が形成され、その部材が前記フードに取り付けられる
請求項１〜９のいずれか一項に記載の屋外換気口。
【請求項１１】
前記ベースの側部の少なくとも一部が前記ベースの正面と対向するように折り曲げられたガイドが前記ベースに形成され、前記フードの側部の内面が前記ガイドに形成されているＲ部分により支持される
請求項１〜１０のいずれか一項に記載の屋外換気口。
【請求項１２】
前記水切板を前記ベースに固定するためのねじと、前記ねじがしまりばめされる樹脂ワッシャーとを有する
請求項１〜１１のいずれか一項に記載の屋外換気口。
【請求項１３】
前記ベースの側部の少なくとも一部が前記ベースの前記フード側である正面側に向けて換気孔側へ傾斜する傾斜曲げ部を有するガイドが前記ベースに形成され、前記フードの側部の内面が前記ガイドに形成されているＲ部分により支持される
請求項１〜１０のいずれか一項に記載の屋外換気口。
【請求項１４】
前記水切板の幅方向の端部が前記フードの側部よりも外側に飛び出ている
請求項１〜１３のいずれか一項に記載の屋外換気口。
【請求項１５】
請求項１〜１４のいずれか一項に記載の屋外換気口の水切板。
【請求項１６】
請求項１、または、請求項１を直接的あるいは間接的に引用する請求項に記載の屋外換気口のベース。
【請求項１７】
請求項８、または、請求項８を直接的あるいは間接的に引用する請求項に記載の屋外換気口のフード。
【発明の詳細な説明】
【技術分野】
【０００１】
本発明は、建物の外壁に設置される屋外換気口に関する。
【背景技術】
【０００２】
従来の屋外換気口は、室内を換気するためのダクトと接続され、外壁に設置される。屋外換気口が外壁に設置されている場合、ダクトから流れ出た排気が屋外換気口のフードの開口部を介して外部に排出される。また、水等が屋外換気口のフードおよびベースに付着した場合には、その水がフード等を伝って流れて外壁に到達し、外壁上を伝ってさらに下方に流れる。多くの場合、このような排気および水等に汚れが含まれているため、排気および水等が外壁に触れることにより外壁が汚れるおそれがある。
【０００３】
このため、改良された従来の屋外換気口は、外壁の汚れを生じにくくするため、排気および水等を外壁から離すように案内する水切板を有する。特許文献１は、水切板を有する屋外換気口の一例を開示している。
【０００４】
図１６に示されるとおり、特許文献１の屋外換気口９００は、外壁９４０に設置されるベース９１０と、ベース９１０を覆うフード９２０と、建物内に引き回されたダクト９５０に繋げられるベントキャップ９３０とを有する。ベントキャップ９３０は、ダクト９５０の開口部９５１に挿入されるパイプ９３１と、パイプ９３１の周囲に形成されたフランジ９３２とを有する。フランジ９３２は、ベース９１０の背面に取り付けられている。ベントキャップ９３０は、外壁９４０の孔９４１に嵌め込まれたダクト９５０の開口部９５１に挿入されている。
【０００５】
フード９２０は、ベース９１０のおおよそ全体を覆うように形成されている。フード９２０の下部には、ダクト９５０から流れ出た排気等が屋外換気口９００の下方に向けて流れるように開口部９２１が形成されている。ベース９１０の下部には、ダクト９５０から流れ出た排気等を外壁９４０から離れるように案内する水切板９１１が形成されている。この屋外換気口９００によれば、水切板９１１が形成されていることにより、外壁９４０に排気等が触れにくくなる。
【先行技術文献】
【特許文献】
【０００６】
【特許文献１】特開２００９−２２２２６９号公報
【発明の概要】
【発明が解決しようとする課題】
【０００７】
しかし、ユーザーが水切板９１１を必要としない場合もある。その理由は、ユーザー毎に異なるが、例えば次のようなものが挙げられる。屋外換気口９００によれば、水切板９１１が存在することにより、ダクト９５０から流れ出た排気が屋外換気口９００の下方だけでなく、外壁９４０の正面側のより離れた場所にも流れる。そして、ユーザーが、そのような排気の流れが極力形成されにくくすることを望む場合には、水切板９１１が必要とされない。また、ユーザーによっては、水切板９１１が存在することにより、外壁９４０のうちの屋外換気口９００が設置されている箇所の意匠性が損なわれていると感じることがある。そのようなユーザーは、外壁９４０の外観の意匠性を高めるために、屋外換気口９００から水切板９１１を省略することを望む。
【０００８】
いずれにしても、屋外換気口９００が外壁９４０に設置された後に、ユーザーが水切板９１１を省略したいと考えた場合には、屋外換気口９００を外壁９４０から取り外し、水切板９１１を含まない別の屋外換気口を外壁９４０に取り付ける必要がある。しかし、このような作業を実施する場合には、フード９２０またはベース９１０の周囲に接着しているコーキング剤を剥がす作業が必要になるため、非常に手間がかかる。
【０００９】
本発明の目的は、ユーザーの多様な要望に応じることができる屋外換気口、その水切板、ベース、および、フードを提供することである。
【課題を解決するための手段】
【００１０】
本屋外換気口は、外壁に設置されるベースと、前記ベースと個別に形成され、または、前記ベースと一体化して形成され、前記ベースを覆うフードと、前記ベースの下方に配置され、外壁から離れるように流体を案内する水切板とを有し、前記ベースに取り付けること、および、前記ベースから取り外すことができるように前記水切板が構成されている。
【発明の効果】
【００１１】
本屋外換気口、その水切板、ベース、および、フードによれば、ユーザーの多様な要望に応じることができる。
【図面の簡単な説明】
【００１２】
【図１Ａ】実施の形態１の屋外換気口の斜視図。
【図１Ｂ】水切板が取り外された屋外換気口の斜視図。
【図２】実施の形態１のベース等の斜視図。
【図３】実施の形態１のフード等の斜視図。
【図４】実施の形態１の屋外換気口の分解斜視図。
【図５】実施の形態１のベース等の分解斜視図。
【図６Ａ】実施の形態１の水切板の正面図。
【図６Ｂ】実施の形態１の水切板の平面図。
【図６Ｃ】図６ＡのＸ６−Ｘ６線の断面図。
【図７】図８ＡのＸ７−Ｘ７線の断面図。
【図８Ａ】実施の形態１の屋外換気口の正面図（水切板あり）。
【図８Ｂ】実施の形態１の屋外換気口の正面図（水切板なし）。
【図９Ａ】実施の形態１の屋外換気口の側面図（水切板あり）。
【図９Ｂ】実施の形態１の屋外換気口の側面図（水切板なし）。
【図１０Ａ】実施の形態１の屋外換気口の平面図（水切板あり）。
【図１０Ｂ】実施の形態１の屋外換気口の平面図（水切板なし）。
【図１１Ａ】実施の形態１の屋外換気口の底面図（水切板あり）。
【図１１Ｂ】実施の形態１の屋外換気口の底面図（水切板なし）。
【図１２】図８ＡのＸ１２−Ｘ１２線の断面図。
【図１３】図１１ＢのＸ１３−Ｘ１３線の断面図。
【図１４】実施の形態２の屋外換気口の斜視図。
【図１５】実施の形態３の屋外換気口のベースの頂部フランジ側の上方向の断面図。
【図１６】従来の屋外換気口の断面図。
【発明を実施するための形態】
【００１３】
［１］本屋外換気口は、外壁に設置されるベースと、前記ベースと個別に形成され、または、前記ベースと一体化して形成され、前記ベースを覆うフードと、前記ベースの下方に配置され、外壁から離れるように流体を案内する水切板とを有し、前記ベースに取り付けること、および、前記ベースから取り外すことができるように前記水切板が構成されている。
【００１４】
この屋外換気口によれば、ユーザーが、ベースに水切板が取り付けられた使用形態、および、ベースから水切板が取り外された使用形態を任意に選択できる。このため、ユーザーの多様な要望に応じることができる。なお、ユーザーは、屋外換気口に関する設置等を直接的に実施する者、または、設置された屋外換気口を使用する者を示す。また、同一のユーザーがこれらの者に該当する場合もある。
【００１５】
［２］前記屋外換気口の好ましい一例によれば、前記フードが前記ベースと個別に形成され、前記フードを前記ベースの下部に取り付けるための取付部であるフード側取付部が前記フードに形成され、または、前記フード側取付部が前記フードに取り付けられ、前記水切板を前記ベースの下部に取り付けるための取付部である水切板側取付部が前記水切板に形成されている、または、前記水切板側取付部が前記水切板に取り付けられている。
【００１６】
この屋外換気口によれば、フードおよび水切板をベースに取り付ける作業、ならびに、フードおよび水切板をベースから取り外す作業をユーザーが屋外換気口の下方において行うことができる。このため、フードおよび水切板の取り付けおよび取り外しに関する作業性が向上する。
【００１７】
［３］前記屋外換気口の好ましい一例によれば、前記フード側取付部および前記水切板側取付部を互いに重ね合わせ、その取付部を共通のねじにより前記ベースに固定できるように前記フード側取付部および前記水切板側取付部が構成されている。
【００１８】
この屋外換気口によれば、フード側取付部および水切板側取付部がそれぞれ別のねじによりベースに固定される場合と比較して、フードおよび水切板をベースに取り付けるための作業工数が少なくなる。このため、フードおよび水切板の取り付けに関する作業性が向上する。
【００１９】
［４］前記屋外換気口の好ましい一例によれば、前記フード側取付部が前記ベース上に直接的または間接的に配置され、前記水切板側取付部が前記フード側取付部上に直接的または間接的に配置される。
【００２０】
この屋外換気口によれば、ユーザーは、フードがベースに取り付けられた状態において、水切板をベースに取り付ける作業、または、水切板をベースから取り外す作業を行うことができる。このため、水切板の取り付けおよび取り外しに関する作業性が向上する。
【００２１】
［５］前記屋外換気口の好ましい一例によれば、前記ベースの下部に、前記フード側取付部および前記水切板側取付部を配置するための取付面が形成され、前記取付面が前記ベースの上方から下方に向かうにつれて、前記ベースの背面側に後退するように傾斜している。
【００２２】
フードを有する屋外換気口によれば、多くの場合、ベースの正面のおおよそ全体、または、ベースの正面の全体がフードに覆われる。このため、ベースの取付面が実質的にベースの正面と面一の関係を形成する場合、または、ベースの取付面がベースの正面と平行な関係を形成する場合には、その取付面に水切板側取付部を取り付ける作業がフードにより妨げられるおそれがある。
【００２３】
本屋外換気口は、このような事項を踏まえ、上記［５］のとおりベースの取付面を形成している。この構成によれば、ユーザーが屋外換気口の下方において作業するときに、ベースの取付面が直接的または間接的にユーザーと対向する位置関係、または、それに近い位置関係が形成されやすい。このため、ベースの取付面に水切板側取付部を取り付ける作業、または、ベースの取付面から水切板側取付部を取り外す作業がフードに妨げられにくくなる。このため、水切板の取り付けおよび取り外しに関する作業性が向上する。なお、この効果は、フード側取付部がベース上に配置され、水切板側取付部がフード側取付部上に配置される場合、ならびに、フード側取付部および水切板側取付部がこれとは異なる配置の関係を有する場合のいずれにも共通する。
【００２４】
［６］前記屋外換気口の好ましい一例によれば、前記ベースの下部に凹部が形成され、その凹部に前記フード側取付部および前記水切板側取付部が取り付けられる。
【００２５】
この屋外換気口によれば、ベースに対するフード側取付部および水切板側取付部の取り付け位置を、ユーザーが容易に視認できる。このため、フードおよび水切板の取り付けに関する作業性が向上する。
【００２６】
［７］前記屋外換気口の好ましい一例によれば、前記フード側取付部および前記水切板側取付部の少なくとも一方の幅と一致するように、または、おおよそ一致するように前記凹部の幅が設定されている。
【００２７】
この屋外換気口によれば、ベースの凹部にフード側取付部および水切板側取付部が配置されたとき、それら取付部がねじにより凹部に固定されていなくとも、凹部に対する各取付部の位置がおおよそ、または、しっかりと決められる。このため、フードおよび水切板の取り付けに関する作業性が向上する。
【００２８】
［８］前記屋外換気口の好ましい一例によれば、外壁に設置されるベースと、前記ベースと個別に形成され、または、前記ベースと一体化して形成され、前記ベースを覆うフードと、前記ベースの下方に配置され、外壁から離れるように流体を案内する水切板とを有し、前記フードに取り付けること、および、前記フードから取り外すことができるように前記水切板が構成されている。
【００２９】
この屋外換気口によれば、ユーザーが、フードに水切板が取り付けられた使用形態、および、フードから水切板が取り外された使用形態を任意に選択できる。このため、ユーザーの多様な要望に応じることができる。
【００３０】
［９］前記屋外換気口の好ましい一例によれば、雄および雌の関係を有し、互いに結合されることにより前記ベースの上部と前記フードの上部との結合を強める上部突起および上部受部をさらに有し、前記ベースおよび前記フードの一方に前記上部突起および前記上部受部の一方が形成され、前記ベースおよび前記フードの他方に前記上部突起および前記上部受部の他方が形成され、前記ベースに前記上部突起が形成され、前記フードに前記上部受部が形成される場合には、前記ベースに直接的に前記上部突起が形成され、または、前記ベースに取り付けられる別の部材に前記上部突起が形成され、その部材が前記ベースに取り付けられ、前記フードに直接的に前記上部受部が形成され、または、前記フードに取り付けられる別の部材に前記上部受部が形成され、その部材が前記フードに取り付けられ、前記ベースに前記上部受部が形成され、前記フードに前記上部突起が形成される場合には、前記ベースに直接的に前記上部受部が形成され、または、前記ベースに取り付けられる別の部材に前記上部受部が形成され、その部材が前記ベースに取り付けられ、前記フードに直接的に前記上部突起が形成され、または、前記フードに取り付けられる別の部材に前記上部突起が形成され、その部材が前記フードに取り付けられる。
【００３１】
この屋外換気口によれば、ベースに形成された上部突起がフードに形成された上部受部に挿入されることにより、または、フードに形成された上部突起がベースに形成された上部受部に挿入されることにより、ベースの上部とフードの上部とが強く結合する。このため、フードが変形しにくくなる。
【００３２】
［１０］前記屋外換気口の好ましい一例によれば、雄および雌の関係を有し、互いに結合されることにより前記ベースの側部と前記フードの側部との結合を強める側部突起および側部受部をさらに有し、前記ベースおよび前記フードの一方に前記側部突起および前記側部受部の一方が形成され、前記ベースおよび前記フードの他方に前記側部突起および前記側部受部の他方が形成され、前記ベースに前記側部突起が形成され、前記フードに前記側部受部が形成される場合には、前記ベースに直接的に前記側部突起が形成され、または、前記ベースに取り付けられる別の部材に前記側部突起が形成され、その部材が前記ベースに取り付けられ、前記フードに直接的に前記側部受部が形成され、または、前記フードに取り付けられる別の部材に前記側部受部が形成され、その部材が前記フードに取り付けられ、前記ベースに前記側部受部が形成され、前記フードに前記側部突起が形成される場合には、前記ベースに直接的に前記側部受部が形成され、または、前記ベースに取り付けられる別の部材に前記側部受部が形成され、その部材が前記ベースに取り付けられ、前記フードに直接的に前記側部突起が形成され、または、前記フードに取り付けられる別の部材に前記側部突起が形成され、その部材が前記フードに取り付けられる。
【００３３】
この屋外換気口によれば、ベースに形成された側部突起がフードに形成された側部受部に挿入されることにより、または、フードに形成された側部突起がベースに形成された側部受部に挿入されることにより、ベースの側部とフードの側部とが強く結合する。このため、フードが変形しにくくなる。
【００３４】
［１１］前記屋外換気口の好ましい一例によれば、前記ベースの側部の少なくとも一部が前記ベースの正面と対向するように折り曲げられたガイドが前記ベースに形成され、前記フードの側部の内面が前記ガイドに形成されているＲ部分により支持される。
【００３５】
屋外換気口が取り得る形態の一例によれば、ベースの側部がベースのウェブからベースの正面側に向けて真っ直ぐに立ち上がり、フードの側部がフードのウェブからフードの背面側に向けて真っ直ぐに立ち上がる。このような屋外換気口によれば、ユーザーがフードをベースと組み合わせるときに、フードの側部がベースの側部の内側に入り込むことがある。その場合には、フードを適切にベースに嵌め込むことができないため、ユーザーは、フードをベースから一旦離し、再びフードをベースに嵌め込むことになる。このため、フードの取り付けに関する作業効率が低下する。
【００３６】
本屋外換気口は、このような事項を踏まえ、上記［１１］のとおりベースにガイドを形成している。この構成によれば、ユーザーがフードをベースと組み合わせるときにベースに対するフードの位置が適正な位置からずれたとしても、そのフードの側部がガイドに接触するため、フードの側部がガイドの内側に入り込むおそれが低い。そして、ユーザーは、その状態からフードの位置をベースの幅方向にずらすことにより、フードの側部をベースの側部であるガイドの外側に配置することができる。このように、本屋外換気口によれば、フードをベースと組み合わせる作業において、フードをベースから離さなくともベースに対するフードの位置を調整できる。このため、フードの取り付けに関する作業性が向上する。
【００３７】
［１２］前記屋外換気口の好ましい一例によれば、前記水切板を前記ベースに固定するためのねじと、前記ねじがしまりばめされる樹脂ワッシャーとを有する。
【００３８】
屋外換気口は、多くの場合、外壁のうちの比較的高い場所に設置される。そのような場合、ユーザーは、屋外換気口を見上げながら、水切板をベースに取り付ける作業、および、水切板をベースから取り外す作業を行うことになる。また、屋外換気口が設置された場所の高さによっては、ユーザーは、脚立等の踏み台を利用して高所作業を行うことになる。このように、ねじおよびワッシャー等の部品を取り扱いにくい環境での作業がユーザーに求められる場合には、作業中にねじまたはワッシャーが落下し、作業が中断されるおそれがある。
【００３９】
本屋外換気口は、このような事項を踏まえ、上記［１２］のとおりねじおよび樹脂ワッシャーを形成している。この構成によれば、出荷前に屋外換気口の集合体を組み立てる作業者、または、施工現場において屋外換気口を設置するユーザーは、水切板をベースに固定する前に、ねじと樹脂ワッシャーとの間に水切板の一部が挟み込まれるようにねじおよび樹脂ワッシャーを互いに結合することができる。また、水切板をベースから取り外す場合には、作業者またはユーザーがねじを緩めてもねじが樹脂ワッシャーから抜け落ちにくい。このように、水切板の取り付けおよび取り外しの作業において、ねじが落下しにくいため、その作業が中断されるおそれが低減される。
【００４０】
［１３］前記屋外換気口の好ましい一例によれば、前記ベースの側部の少なくとも一部が前記ベースの前記フード側である正面側に向けて換気孔側へ傾斜する傾斜曲げ部を有するガイドが前記ベースに形成され、前記フードの側部の内面が前記ガイドに形成されているＲ部分により支持される。
【００４１】
屋外換気口が取り得る形態の一例によれば、ベースの側部がベースのウェブからベースの正面側に向けて真っ直ぐに立ち上がり、フードの側部がフードのウェブからフードの背面側に向けて真っ直ぐに立ち上がる。このような屋外換気口によれば、ユーザーがフードをベースと組み合わせるときに、フードの側部がベースの側部の内側に入り込むことがある。その場合には、フードを適切にベースに嵌め込むことができないため、ユーザーは、フードをベースから一旦離し、再びフードをベースに嵌め込むことになる。このため、フードの取り付けに関する作業効率が低下する。
【００４２】
本屋外換気口は、このような事項を踏まえ、上記［１３］のとおりベースにガイドを形成している。この構成によれば、ユーザーがフードをベースと組み合わせるときにベースに対するフードの位置が適正な位置からずれたとしても、そのフードの側部がガイドに接触し案内されるため、フードの側部がガイドの内側に入り込むおそれがさらに低くなる。そして、ユーザーは、その状態から継続してフードを回動させることで、フードの側部をベースの側部であるガイドの外側に確実に配置することができる。このように、本屋外換気口によれば、フードをベースと組み合わせる作業において、フードをベースから離さなくともベースに対するフードの位置を調整できる。このため、フードの取り付けに関する作業性がさらに向上する。
【００４３】
［１４］前記屋外換気口の好ましい一例によれば、前記水切板の幅方向の端部が前記フードの側部よりも外側に飛び出ている。
【００４４】
この屋外換気口によれば、フードの側部の外面を伝って流れる液体、または、外壁のうちのフードの側部の付近を伝って流れる液体が、水切板のうちのフードの側部よりも外側に飛び出た部分により案内される。このため、外壁におけるフードの周囲の部分が一層汚れにくくなる。
【００４５】
［１５］本屋外換気口の水切板は、前記［１］〜［１４］に記載の構造を有する。
【００４６】
この水切板は、［１］等に記載のベースまたは［８］等に記載のフードと組み合わせて使用されることにより、［１］〜［１４］の屋外換気口により得られる効果と同様の効果を奏する。
【００４７】
［１６］本屋外換気口のベースは、前記［１］等の記載の構造を有する。
【００４８】
このベースは、［１］等に記載の水切板と組み合わせて使用されることにより、［１］等の屋外換気口により得られる効果と同様の効果を奏する。
【００４９】
［１７］本屋外換気口のベースは、前記［８］等の記載の構造を有する。
【００５０】
このフードは、［８］等に記載の水切板と組み合わせて使用されることにより、［８］等の屋外換気口により得られる効果と同様の効果を奏する。
【００５１】
（実施の形態１）
図１Ａおよび図１Ｂは、それぞれ、屋外換気口１０が設置された建物の外壁２００を示している。外壁２００の内面２０２側の空間である屋内３２０には、屋内３２０の部屋と外壁２００の外面２０１側の空間である屋外３１０とを互いに繋ぐダクト２１０が引き回されている。外壁２００の所定位置には、外壁２００を貫通して屋内３２０と屋外３１０とを互いに繋ぐ換気孔２０３が形成されている。ダクト２１０の開口部２１１は、換気孔２０３に嵌め込まれている。
【００５２】
屋外換気口１０の全体的な形状は角形である。このような屋外換気口１０の形態は、例えば、角形パイプフードと称される形態に区分される。図４および図５に示されるとおり、屋外換気口１０は、複数の構成要素が互いに結合されることにより構成される。図２は、そのうちの一部であって、換気のための基本的な役割を果たす構成要素の集合体を示している。図３は、複数の構成要素のうちの別の一部であって、換気を補助する役割を果たす構成要素の一部を示している。
【００５３】
図１Ａに示されるとおり、屋外換気口１０は、外壁２００の外面２０１に設置されるベース２０と、ダクト２１０の開口部２１１に接続されるベントキャップ３０と、ダクト２１０の内部に異物が侵入することを妨げるルーバー５０とを有する。屋外換気口１０は、さらに、ベース２０を覆うフード６０と、フード６０の内側に形成される空間である内部空間６４、フード６０の内面、フード６０の外面、および、フード６０の周囲を流れる流体を外壁２００から離れるように案内する水切板１００を有する。そのような流体の主たる例は、ダクト２１０の開口部２１１から流れ出た排気、ベース２０に付着した液体、フード６０の内面に付着した液体、フード６０の外面に付着した液体、および、外壁２００のうちのフード６０の周囲に付着した液体である。
【００５４】
屋外換気口１０によれば、図１Ａに示されるとおりベース２０に水切板１００が取り付けられた第１の使用形態、および、図１Ｂに示されるとおりベース２０から水切板１００が取り外された第２の使用形態をユーザーが任意に選択できる。第１の使用形態によれば、例えば、外壁２００における屋外換気口１０が設置された箇所の周囲が、水切板１００の働きにより一層汚れにくくなる。第２の使用形態によれば、例えば、外壁２００における屋外換気口１０が設置された箇所の意匠性が高められる。
【００５５】
図４および図５を主に参照して、ベース２０等の構成について説明する。
【００５６】
ベース２０を構成する材料の一例は、ステンレスまたはアルミニウムである。図示された例によれば、ベース２０の素材が曲げ加工されることにより、ベース２０にウェブ２１、折り返し２２、頂部フランジ２３、底部フランジ２４、および、側部突起２５が形成されている。なお、折り返し２２は、ガイドが形成されたベースの側部の一例に該当する。
【００５７】
図５に示されるとおり、ウェブ２１には、ダクト２１０の開口部２１１（図１Ａ参照）と繋げられる換気孔２１Ｃと、第１のリベット９１を通すための複数の孔２１Ａと、ルーバー固定ねじ９３をねじ込むためのねじ穴２１Ｂと、ベース２０の背面と外壁２００との間を流れる液体をベース２０の正面側に流すための水抜き穴２１Ｄとが形成されている。図示された例によれば、ウェブ２１に形成される孔２１Ａの数は５つである。
【００５８】
図２に示されるとおり、ウェブ２１には、ベース２０を外壁２００（図１参照）に固定するためのタッピングねじ９６を通すための複数の孔２１Ｅが形成されている。図示された例によれば、ウェブ２１に形成される孔２１Ｅの数は４つである。なお、図２は、外壁２００にねじ込まれる４本のタッピングねじ９６のうちの１本を省略している。
【００５９】
図２に示されるとおり、ウェブ２１の各側部のそれぞれに折り返し２２が形成されている。折り返し２２は、ベース２０の素材の側部がウェブ２１の正面と対向するようにヘミング曲げ加工された部分であり、フード６０の側部フランジ６２の内面（図４参照）を支持する。
【００６０】
図４に示されるとおり、ウェブ２１の頂部に頂部フランジ２３が形成されている。頂部フランジ２３は、ベース２０の素材の頂部がベース２０の正面側にＬ曲げ加工された部分であり、フード６０に固定されるルーフ８０の頂部フランジ８４を支持する。頂部フランジ２３には、第２のリベット９２を通すための複数の孔２３Ａと、ルーフ８０の上部突起８５を嵌めるための上部受部２３Ｂとが形成されている。上部受部２３Ｂは、頂部フランジ２３のうちの孔が形成されている部分であり、ベース２０に形成された上部受部の一例に該当する。
【００６１】
図４に示されるとおり、ウェブ２１の底部に底部フランジ２４が形成されている。底部フランジ２４は、ベース２０の素材の底部がベース２０の背面側にＬ曲げ加工された部分であり、水切板１００に形成されている頂部フランジ１３０を支持する。
【００６２】
図４に示されるとおり、ウェブ２１の側部のうちの折り返し２２の下方に側部突起２５が形成されている。側部突起２５は、ベース２０の素材の片がウェブ２１の正面側にＬ曲げ加工された部分であり、フード６０の側部フランジ６２と固定板金７０のフランジ７２との間の空間に挿入されることにより側部フランジ６２を支持する。なお、側部突起２５は、ベース２０の側部に形成された側部突起の一例に該当する。
【００６３】
図５に示されるとおり、ベース２０の底部の２箇所には、ウェブ２１および底部フランジ２４にまたがりプレス加工された部分である凹部２６が形成されている。凹部２６の幅は、固定板金７０に形成されているフード側取付部７３、および、水切板１００に形成されている水切板側取付部１４０の幅とおおよそ一致するように設定されている。凹部２６の底面である取付面２６Ｂは、ベース２０の上方から下方に向かうにつれてベース２０の正面側から背面側に後退するように傾斜している。凹部２６の底部には、共通固定ねじ９４をねじ込むためのねじ穴２６Ａが形成されている。
【００６４】
図５を参照して、ベントキャップ３０等について説明する。
【００６５】
ベントキャップ３０を構成する材料の一例は、ステンレスまたはアルミニウムである。ベントキャップ３０は、ダクト２１０の開口部２１１（図１参照）に挿入するためのパイプ３１、および、ベントキャップ３０をベース２０に固定するためのフランジ３２を有する。パイプ３１の内部には、ダクト２１０の通路と繋がる通路３１Ａが形成されている。フランジ３２には、第１のリベット９１を通すための複数の孔３２Ａが形成さている。図示された例によれば、フランジ３２に形成される孔の数は３つである。
【００６６】
複数の第１のリベット９１は、それぞれ、ベース２０の孔２１Ａおよびフランジ３２の孔３２Ａに挿入され、かしめられる。ベース２０およびフランジ３２は、この複数の第１のリベット９１により互いに固定される。
【００６７】
バックフレーム４０を構成する材料の一例は、ステンレスまたはアルミニウムである。バックフレーム４０は、ベース２０の３つの片の外形に倣うようにＵ形状を有する。バックフレーム４０には、第１のリベット９１を通すための複数の孔４０Ａが形成されている。図示された例によれば、バックフレーム４０に形成される孔４０Ａの数は２つである。
【００６８】
複数の第１のリベット９１は、それぞれ、ベース２０の孔２１Ａおよびバックフレーム４０の孔４０Ａに挿入され、かしめられる。ベース２０およびバックフレーム４０は、この複数の第１のリベット９１により互いに固定される。
【００６９】
ルーバー５０を構成する材料の一例は、ステンレスまたはアルミニウムである。ルーバー５０は、ベース２０の換気孔２１Ｃを覆うように形成されている。ルーバー５０には、径方向の外方に突出したフランジ５１が形成されている。フランジ５１には、ルーバー固定ねじ９３を通すための孔５１Ａが形成されている。
【００７０】
ルーバー固定ねじ９３は、樹脂ワッシャー９５との間にフランジ５１を挟み込むように樹脂ワッシャー９５がしまりばめされ、フランジ５１の孔５１Ａを通してウェブ２１のねじ穴２１Ｂにねじ込まれる。ベース２０およびルーバー５０は、このルーバー固定ねじ９３により互いに固定される。
【００７１】
図３および図４を主に参照して、フード６０等について説明する。
【００７２】
フード６０を構成する材料の一例は、ステンレスまたはアルミニウムである。図示された例によれば、フード６０の素材が曲げ加工されることにより、フード６０にウェブ６１、側部フランジ６２、および、頂部フランジ６３が形成されている。側部フランジ６２は、フード６０の素材の各側部がウェブ６１の内面側に向けてＬ曲げ加工された部分であり、ベース２０のウェブ２１とフード６０のウェブ６１との間に内部空間６４を形成する。頂部フランジ６３は、フード６０の素材の一部が側部フランジ６２の内面側に向けてＬ曲げ加工された部分であり、第２のリベット９２を通すための孔６３Ａが形成されている。側部フランジ６２のうちの下部の内面には、フード６０をベース２０（図５参照）に固定するための固定板金７０が固定されている。
【００７３】
フード６０の下部には、内部空間６４をフード６０の下方の空間に開放する下部開口部６５が形成されている。フード６０の上部には、内部空間６４をフード６０の上方に開口する上部開口部６６が形成されている。
【００７４】
固定板金７０を構成する材料の一例は、ステンレスまたはアルミニウムである。図示された例によれば、固定板金７０の素材が曲げ加工されることにより、固定板金７０にウェブ７１、フランジ７２、および、フード側取付部７３が形成されている。
【００７５】
図３に示されるとおり、ウェブ７１の側部にフランジ７２が形成されている。図４に示されるとおり、フランジ７２がフード６０の側部フランジ６２の内面に固定されることにより、固定板金７０が側部フランジ６２に取り付けられる。フランジ７２は、例えば、溶接によりフランジ７２に固定される。
【００７６】
フランジ７２の端部には、固定板金７０の素材がＺ曲げ加工された部分である側部受部７２Ａが形成されている。フード６０の側部フランジ６２と固定板金７０の側部受部７２Ａとの間には、ベース２０の側部突起２５（図２参照）が挿入される挿入空間７４が形成されている。なお、側部受部７２Ａは、フード６０に取り付けられる部材である固定板金７０に形成された側部受部の一例に該当する。
【００７７】
図３に示されるとおり、ウェブ７１のうちの幅が狭い部分に、固定板金７０の素材の一部がＬ曲げ加工された部分であるフード側取付部７３が形成されている。図４に示されるとおり、フード側取付部７３は、共通固定ねじ９４を通すための孔７３Ａが形成されている。なお、フード側取付部７３は、フード６０に取り付けられる部材である固定板金７０に形成されたフード側取付部の一例に該当する。
【００７８】
図３および図４を参照して、ルーフ８０の構成について説明する。
【００７９】
ルーフ８０を構成する材料の一例は、ステンレスまたはアルミニウムである。図示された例によれば、ルーフ８０の素材が曲げ加工されることにより、ルーフ８０にウェブ８１、整流板８２、側部フランジ８３、および、頂部フランジ８４が形成されている。
【００８０】
図３に示されるとおり、整流板８２は、ルーフ８０の素材の比較的広い部分が曲げ加工された部分であり、ダクト２１０の開口部２１１（図７参照）からフード６０の内部空間６４に流れ出た排気、および、フード６０の上部開口部６６から内部空間６４に入り込んだ流体を整流する。側部フランジ８３は、ルーフ８０の素材の側部が正面側に向けてＬ曲げ加工された部分であり、フード６０の側部フランジ６２の内面を支持する。頂部フランジ８４は、ルーフ８０の素材の頂部が背面側に向けてＬ曲げ加工された部分であり、フード６０の頂部フランジ６３に載せられる。頂部フランジ８４には、第２のリベット９２を通すための孔８４Ａが形成されている。
【００８１】
図４に示されるとおり、ベース２０の上部受部２３Ｂの孔に挿入される上部突起８５が、頂部フランジ８４の底面に固定されている。上部突起８５を構成する材料の一例は、ステンレスまたはアルミニウムである。図示された例によれば、頂部フランジ８４に固定される上部突起８５の数は２つである。上部突起８５は、例えば、溶接により頂部フランジ８４に固定される。なお、ベース２０の上部受部２３Ｂおよびルーフ８０の上部突起８５は、雄および雌の関係を有し、互いに結合されることにより、ベース２０の上部およびフード６０の上部を強く結合する上部受部および上部突起の一例に該当する。
【００８２】
図６Ａ〜図６Ｃを主に参照して、水切板１００の構成について説明する。
【００８３】
水切板１００を構成する材料の一例は、ステンレスまたはアルミニウムである。図示された例によれば、水切板１００の素材が曲げ加工されることにより、水切板１００にウェブ１１０、側部フランジ１２０、頂部フランジ１３０、および、水切板側取付部１４０が形成されている。
【００８４】
図６Ｃに示されるとおり、ウェブ１１０は、屋外換気口１０（図１参照）の背面側から正面側に向かうにつれて上方から下方に向けて傾斜している。図６Ｂに示されるとおり、ウェブ１１０の側部に側部フランジ１２０が形成されている。側部フランジ１２０は、水切板１００の素材の短手部分がウェブ１１０の正面側に向けてＬ曲げ加工された部分であり、ウェブ１１０上を流れる流体を水切板１００の正面に案内する。
【００８５】
図６Ｂに示されるとおり、ウェブ１１０の背面側の端部に頂部フランジ１３０が形成されている。頂部フランジ１３０は、水切板１００の素材の長手部分がウェブ１１０の正面と対向するようにＵ曲げ加工された部分であり、ベース２０の底部フランジ２４および外壁２００の外面２０１（図７参照）に突き当てられる。
【００８６】
図６Ａに示されるとおり、頂部フランジ１３０の長手縁に水切板側取付部１４０が形成されている。水切板側取付部１４０は、水切板１００の素材の片がウェブ１１０の上方に向けて立ち上がるようにＬ曲げ加工された部分であり、共通固定ねじ９４（図５参照）を通すための孔１４１が形成されている。
【００８７】
図５に示されるとおり、共通固定ねじ９４は、樹脂ワッシャー９５との間に水切板側取付部１４０を挟み込むように樹脂ワッシャー９５がしまりばめされ、フード側取付部７３の孔７３Ａを通してベース２０の凹部２６のねじ穴２６Ａにねじ込まれる。凹部２６、フード側取付部７３、および、水切板側取付部１４０は、共通固定ねじ９４により互いに固定される。
【００８８】
図１０Ａに示されるとおり、水切板１００の長手方向の寸法は、フード６０の幅方向の寸法よりも大きく設定されている。このため、ウェブ１１０の端部は、屋外換気口１０の幅方向においてフード６０の側部フランジ６２よりも外側に飛び出ている。
【００８９】
図２〜図５を主に参照して、屋外換気口１０の出荷前における屋外換気口１０の組み立て作業について説明する。なお、屋外換気口１０の出荷形態の一例によれば、図２に示されるベース２０側の集合体、図４に示されるフード６０側の集合体、および、図４に示される水切板１００側の集合体が、それぞれ作業者により組み立てられ、それら集合体が１つのセットとして出荷される。なお、ここに例示された屋外換気口１０の出荷形態は一例であり、この例とは別の形態により屋外換気口１０が出荷されることもある。
【００９０】
図５に示されるとおり、ベントキャップ３０が、第１のリベット９１によりウェブ２１の背面に固定される。次に、バックフレーム４０が、第１のリベット９１によりウェブ２１の背面に固定される。次に、ルーバー固定ねじ９３と樹脂ワッシャー９５との間にフランジ５１が挟み込まれるようにルーバー固定ねじ９３および樹脂ワッシャー９５が互いに結合され、そのルーバー固定ねじ９３により、ルーバー５０がウェブ２１に固定される。このように、ベース２０、ベントキャップ３０、バックフレーム４０、および、ルーバー５０が互いに結合されることにより、図２に示されるベース２０側の集合体が形成される。なお、ベース２０への各構成要素の取り付け順序は任意に選択できる。
【００９１】
図３に示されるとおり、固定板金７０のフランジ７２が、フード６０の側部フランジ６２の内面に突き当てられ、そのフランジ７２が溶接等により側部フランジ６２に固定される。次に、ルーフ８０の頂部フランジ８４が、フード６０の頂部フランジ６３に載せられ、頂部フランジ８４の孔８４Ａおよび頂部フランジ６３の孔６３Ａに第２のリベット９２が通される。次に、この第２のリベット９２がかしめられることにより、ルーフ８０がフード６０に固定される。このように、フード６０、固定板金７０、および、ルーフ８０が互いに組み合わせられることにより、図４に示されるフード６０側の集合体が形成される。なお、フード６０およびルーフ８０に関する各構成要素の組み合わせの順序は任意に選択できる。
【００９２】
図４に示されるとおり、共通固定ねじ９４と樹脂ワッシャー９５との間に水切板側取付部１４０が挟み込まれるように共通固定ねじ９４および樹脂ワッシャー９５が互いに結合される。このように、水切板１００、共通固定ねじ９４、および、樹脂ワッシャー９５が互いに組み合わせられることにより、図４に示される水切板１００側の集合体が形成される。
【００９３】
図４等を参照して、外壁２００への屋外換気口１０の設置手順について説明する。なお、屋外換気口１０の設置手順の一例によれば、ユーザーは、出荷されたベース２０側の集合体、フード６０側の集合体、および、水切板１００側の集合体を施工現場において互いに組み合わせることにより、屋外換気口１０を外壁２００に設置する。なお、ここに例示された屋外換気口１０の設置手順は一例であり、この例とは別の手順により屋外換気口１０を外壁２００に設置することもできる。
【００９４】
図２に示されるベース２０側の集合体のパイプ３１が、図７に示されるとおり、ダクト２１０の開口部２１１に挿入され、バックフレーム４０が外壁２００の外面２０１に突き当てられる。このとき、図７の設置状態から、フード６０側の集合体および水切板１００側の集合体が省略された屋外換気口１０の設置状態が形成される。ベース２０側の集合体が外壁２００に設置されたとき、図９Ａおよび図１０Ａに示されるとおり、ベース２０の背面と外壁２００の外面２０１との間、すなわち、バックフレーム４０の周囲に、コーキング剤２２０（図７参照）を充填するためのポケット４１が形成される。
【００９５】
次に、図２に示されるとおり、タッピングねじ９６がベース２０の孔２１Ｅを通過して外壁２００にねじ込まれる。次に、図７に示されるとおり、ポケット４１にコーキング剤２２０が充填される。ポケット４１に充填されたコーキング剤２２０が硬化することにより、ベース２０の背面と外壁２００の外面２０１との間がコーキングされる。なお、タッピングねじ９６をねじ込む作業、および、コーキング剤２２０を充填する作業の順序は任意に選択できる。
【００９６】
次に、図４に示されるとおり、フード６０側の集合体の上部突起８５がベース２０の上部受部２３Ｂに嵌め込まれ、フード６０側の集合体の挿入空間７４にベース２０の側部突起２５が挿入されるように、フード６０側の集合体がベース２０側の集合体と組み合わせられる。このとき、図７の設置状態から、水切板１００側の集合体が省略された屋外換気口１０の設置状態が形成される。なお、フード６０側の集合体がベース２０側の集合体と組み合わせられることにともない、固定板金７０のフード側取付部７３が、図２に示されるベース２０の凹部２６に配置される。また、第２のリベット９２の端部が、図４に示されるベース２０の頂部フランジ２３の孔２３Ａに挿入される。
【００９７】
次に、図４に示されるとおり、水切板１００側の集合体の共通固定ねじ９４が、フード側取付部７３を通過してベース２０の凹部２６のねじ穴２６Ａ（図２参照）にねじ込まれ、凹部２６、フード側取付部７３、および、水切板側取付部１４０が共通固定ねじ９４により互いに固定される。このとき、図７に示されるとおりの屋外換気口１０の設置状態が形成される。なお、図１３に示されるとおり、ベース２０の底部フランジ２４の背面、および、水切板１００の頂部フランジ１３０の背面は、それぞれ、外壁２００の外面２０１に突き当てられている。
【００９８】
以上の各作業が完了することにより、図８Ａ、図９Ａ、図１０Ａ、および、図１１Ａに示されるとおり屋外換気口１０が組み立てられる。すなわち、図１Ａに示されるとおり、第１の使用形態を有する屋外換気口１０が外壁２００に設置される。
【００９９】
図７を主に参照して、水切板１００の機能について説明する。
【０１００】
屋内３２０の排気は、ダクト２１０の通路およびベース２０の換気孔２１Ｃを通過してフード６０の内部空間６４に流れ、フード６０の下部開口部６５からフード６０の外部に流れ出る。この排気の一部は、水切板１００のウェブ１１０に接触し、ウェブ１１０により外壁２００から離れるように案内される。フード６０の側部フランジ６２の内面を伝って流れる液体の一部は、フード６０の下部開口部６５の縁から滴下して水切板１００のウェブ１１０に到達し、ウェブ１１０により外壁２００から離れるように案内される。フード６０の側部フランジ６２の外面を伝って流れる液体の一部は、フード６０の側部フランジ６２から滴下して水切板１００のウェブ１１０に到達し、ウェブ１１０により外壁２００から離れるように案内される。
【０１０１】
図８Ａ等を参照して、屋外換気口１０の外観について説明する。
【０１０２】
図８Ａは、水切板１００が取り付けられた屋外換気口１０の正面構造を示している。図８Ｂは、水切板１００が取り外された屋外換気口１０の正面構造を示している。図８Ｂに示されるとおり、水切板１００がベース２０から取り外されている場合、正面視による屋外換気口１０の外観はシンプルな矩形状である。このため、外壁２００の外観との一体感が高められ、意匠性が向上したような印象をユーザーに与えることに貢献する。
【０１０３】
図９Ａは、水切板１００が取り付けられた屋外換気口１０の側面構造を示している。図９Ｂは、水切板１００が取り外された屋外換気口１０の側面構造を示している。図９Ｂに示されるとおり、水切板１００がベース２０から取り外されている場合、側面視による屋外換気口１０の外観はシンプルな矩形状である。このため、外壁２００の外観との一体感が高められ、意匠性が向上したような印象をユーザーに与えることに貢献する。
【０１０４】
図１０Ａは、水切板１００が取り付けられた屋外換気口１０の平面構造を示している。図１０Ｂは、水切板１００が取り外された屋外換気口１０の平面構造を示している。図１１Ａは、水切板１００が取り付けられた屋外換気口１０の底面構造を示している。図１１Ｂは、水切板１００が取り外された屋外換気口１０の底面構造を示している。屋外換気口１０の一般的な設置形態によれば、平面視または底面視により屋外換気口１０の外観が視認される機会は多くないと考えられるが、図１０Ｂおよび図１１Ｂに示されるとおり、いずれの視点から視認された場合であっても、屋外換気口１０の外観はシンプルな矩形状である。
【０１０５】
図１２を参照して、フード６０の支持構造について説明する。
【０１０６】
ベース２０の折り返し２２には、ヘミング曲げ加工により形成されたＲ部分２２Ａが存在している。図示された例によれば、Ｒ部分２２Ａは、ウェブ２１の縁、頂部フランジ２３の縁、および、底部フランジ２４の縁よりもベース２０の外側に突出している。折り返し２２の内面とウェブ２１の正面とは互いに接触している。Ｒ部分２２Ａの頂部は、フード６０の側部フランジ６２の内面と接触し、側部フランジ６２を内側から支持している。Ｒ部分２２Ａと側部フランジ６２との接触状態は、実質的に線接触とみなせる接触状態である。側部フランジ６２が折り返し２２により支持されていることにより、側部フランジ６２が内部空間６４側に変形することが折り返し２２により妨げられる。
【０１０７】
図１３を参照して、水切板１００等の締結構造について説明する。
【０１０８】
屋外換気口１０によれば、ベース２０の凹部２６の取付面２６Ｂ上にフード６０のフード側取付部７３が配置され、フード側取付部７３上に樹脂ワッシャー９５が配置され、樹脂ワッシャー９５上に水切板１００の水切板側取付部１４０が配置されている。共通固定ねじ９４は、水切板側取付部１４０の孔１４１およびフード側取付部７３の孔７３Ａを通過して、凹部２６のねじ穴２６Ａにねじ込まれている。
【０１０９】
屋外換気口１０の別の使用形態について説明する。
【０１１０】
ベース２０には、水切板１００とは別の水切板を取り付けることができる。別の水切板の一例としては、次の３つの例が挙げられる。第１の別の水切板は、水切板１００と異なるサイズを有し、水切板１００と同一の形状を有する。第２の別の水切板は、水切板１００と同じサイズを有し、水切板１００と異なる形状を有する。第３の別の水切板は、水切板１００と異なるサイズを有し、水切板１００と異なる形状を有する。なお、水切板のサイズは、主として、水切板の長手方向の寸法、水切板の短手方向の寸法、および、水切板の高さにより規定される。そして、上記別の水切板において、これらの３つの寸法の少なくとも１つが水切板１００と相違する場合、その別の水切板は水切板１００と異なるサイズを有する。
【０１１１】
屋外換気口１０によれば、以下の効果が得られる。
【０１１２】
（１）屋外換気口１０によれば、ベース２０に取り付けること、および、ベース２０から取り外すことができるように水切板１００が構成されている。この構成によれば、ユーザーが、ベース２０に水切板１００が取り付けられた第１の使用形態、および、ベース２０から水切板１００が取り外された第２の使用形態を任意に選択できる。このため、ユーザーの多様な要望に応じることができる。
【０１１３】
（２）屋外換気口１０によれば、フード６０がベース２０と個別に形成されている。また、フード側取付部７３を含む固定板金７０がフード６０の下部に取り付けられている。また、水切板側取付部１４０が水切板１００に形成されている。
【０１１４】
この構成によれば、フード６０および水切板１００をベース２０に取り付ける作業、ならびに、フード６０および水切板１００をベース２０から取り外す作業を、ユーザーが屋外換気口１０の下方において行うことができる。このため、フード６０および水切板１００の取り付けおよび取り外しに関する作業性が向上する。
【０１１５】
（３）屋外換気口１０によれば、フード側取付部７３および水切板側取付部１４０を互いに重ね合わせ、それら取付部７３，１４０を共通固定ねじ９４によりベース２０に固定できるようにフード側取付部７３および水切板側取付部１４０が構成されている。
【０１１６】
この構成によれば、フード側取付部７３および水切板側取付部１４０がそれぞれ別のねじによりベース２０に固定されると仮定した場合と比較して、フード６０および水切板１００をベース２０に取り付けるための作業工数が少なくなる。このため、フード６０および水切板１００の取り付けに関する作業性が向上する。また、上記仮定した場合と比較して、ねじの数が少ないため、屋外換気口１０が高い意匠性を有しているという印象をユーザーに与えることに貢献する。
【０１１７】
（４）屋外換気口１０によれば、フード側取付部７３がベース２０の凹部２６に直接的に配置され、水切板側取付部１４０が樹脂ワッシャー９５を介してフード側取付部７３上に配置される。
【０１１８】
この構成によれば、ユーザーは、フード６０がベース２０に取り付けられた状態において、水切板１００をベース２０に取り付ける作業、または、水切板１００をベース２０から取り外す作業を行うことができる。このため、水切板１００の取り付けおよび取り外しに関する作業性が向上する。
【０１１９】
（５）屋外換気口１０によれば、ベース２０の下部に凹部２６が形成され、その凹部２６にフード側取付部７３および水切板側取付部１４０が取り付けられる。この構成によれば、ベース２０に対するフード側取付部７３および水切板側取付部１４０の取り付け位置を、ユーザーが容易に視認できる。このため、フード６０および水切板１００の取り付けに関する作業性が向上する。また、フード側取付部７３および水切板側取付部１４０が、ベース２０のウェブ２１の正面に配置されると仮定した場合と比較して、ウェブ２１から前方に突出した部分が少ない。このため、屋外換気口１０が高い意匠性を有しているという印象をユーザーに与えることに貢献する。
【０１２０】
（６）別の形態の屋外換気口によれば、ベースの取付面が実質的にベースの正面と面一の関係を形成する、または、ベースの取付面がベースの正面と平行な関係を形成する。すなわち、フードの内部空間に面するようにベースの取付面が形成される。この場合には、ベースの取付面に水切板側取付部を取り付ける作業がフードにより妨げられるおそれがある。
【０１２１】
一方、屋外換気口１０によれば、ベース２０の下部に形成された凹部２６に、フード側取付部７３および水切板側取付部１４０を配置するための取付面２６Ｂが形成されている。また、この取付面２６Ｂが、ベース２０の上方から下方に向かうにつれて、ベース２０の正面側から背面側に後退するように傾斜している。
【０１２２】
この構成によれば、ユーザーが屋外換気口１０の下方において作業するときに、ベース２０の取付面２６Ｂが直接的または間接的にユーザーと面する位置関係、または、それに近い位置関係が形成されやすい。このため、凹部２６に水切板側取付部１４０を取り付ける作業、または、凹部２６から水切板側取付部１４０を取り外す作業がフード６０に妨げられにくくなる。このため、水切板１００の取り付けおよび取り外しに関する作業性が向上する。
【０１２３】
（７）屋外換気口１０によれば、フード側取付部７３の幅および水切板側取付部１４０の幅と一致するように、ベース２０の凹部２６の幅が設定されている。この構成によれば、凹部２６にフード側取付部７３および水切板側取付部１４０が配置されたとき、それら取付部７３，１４０が共通固定ねじ９４により凹部２６に固定されていなくとも、凹部２６に対する各取付部７３，１４０の位置がしっかりと決められる。このため、フード６０および水切板１００の取り付けに関する作業性が向上する。
【０１２４】
（８）屋外換気口１０は、雄および雌の関係を有し、互いに結合されることによりベース２０の上部とフード６０の上部との結合を強める上部受部２３Ｂおよび上部突起８５を有する。上部受部２３Ｂは、ベース２０の頂部フランジ２３に形成されている。上部突起８５は、フード６０に取り付けられるルーフ８０に取り付けられている。
【０１２５】
この構成によれば、ルーフ８０の上部突起８５がベース２０の上部受部２３Ｂに挿入されることにより、ベース２０の上部とフード６０の上部とが強く結合する。このため、フード６０が変形しにくくなる。また、上部突起８５がフード６０により覆われ、屋外換気口１０の正面視（図８Ａ参照）、および、屋外換気口１０の側面視（図９Ａ参照）において、上部突起８５が視認されない。このため、屋外換気口１０が高い意匠性を有しているという印象をユーザーに与えることに貢献する。
【０１２６】
（９）屋外換気口１０は、雄および雌の関係を有し、互いに結合されることによりベース２０の側部とフード６０の側部との結合を強める側部突起２５および側部受部７２Ａを有する。側部突起２５は、ベース２０の側部に形成されている。側部受部７２Ａは、フード６０に取り付けられた固定板金７０に形成され、フード６０の側部フランジ６２との間に挿入空間７４を形成する。
【０１２７】
この構成によれば、ベース２０の側部突起２５が挿入空間７４に挿入されることにより、ベース２０の側部とフード６０の側部フランジ６２とが強く結合する。このため、フード６０が変形しにくくなる。
【０１２８】
（１０）別の形態の屋外換気口によれば、ベースの側部のおおよそ全体がベースのウェブからベースの正面側に向けて真っ直ぐに立ち上がる。このような屋外換気口によれば、ユーザーがフードをベースと組み合わせるときに、フードの側壁がベースの側部の内側に入り込むことがある。その場合には、フードを適切にベースに嵌め込むことができないため、ユーザーは、フードをベースから一旦離し、再びフードをベースに嵌め込むことになる。このため、フードの取り付けに関する作業効率が低下する。
【０１２９】
一方、屋外換気口１０によれば、ベース２０の側部がベース２０の正面側に折り曲げられた折り返し２２がベース２０に形成されている。また、折り返し２２に形成されているＲ部分２２Ａが、フード６０の側部フランジ６２の内面を支持する。
【０１３０】
この構成によれば、ユーザーがフード６０をベース２０と組み合わせるときに、ベース２０に対するフード６０の位置が適正な位置からずれたとしても、そのフード６０の側部フランジ６２が折り返し２２に接触するため、フード６０の側部フランジ６２が折り返し２２の内側に入り込むおそれが低い。そして、ユーザーは、その状態からフード６０の位置をベース２０の幅方向にずらすことにより、フード６０の側部フランジ６２をベース２０の折り返し２２の外側に配置することができる。
【０１３１】
このように、屋外換気口１０によれば、フード６０をベース２０と組み合わせる作業において、フード６０をベース２０から離さなくともベース２０に対するフード６０の位置を調整できる。このため、フード６０の取り付けに関する作業性が向上する。
【０１３２】
（１１）屋外換気口１０は、多くの場合、外壁２００のうちの比較的高い場所に設置される。そのような場合、ユーザーは、屋外換気口１０を見上げながら、水切板１００をベース２０に取り付ける作業、および、水切板１００をベース２０から取り外す作業を行うことになる。また、屋外換気口１０が設置された場所の高さによっては、ユーザーは、脚立等の踏み台を利用して高所作業を行うことになる。このように、ねじおよびワッシャー等の部品を取り扱いにくい環境での作業がユーザーに求められる場合には、作業中にねじまたはワッシャーが落下し、作業が中断されるおそれがある。
【０１３３】
一方、屋外換気口１０は、共通固定ねじ９４と、そのねじ９４がしまりばめされる樹脂ワッシャー９５とを有する。この構成によれば、出荷前に屋外換気口１０の集合体を組み立てる作業者、または、施工現場において屋外換気口１０を設置するユーザーは、水切板１００をベース２０に固定する前に、共通固定ねじ９４と樹脂ワッシャー９５との間に水切板側取付部１４０が挟み込まれるように共通固定ねじ９４および樹脂ワッシャー９５を互いに結合することができる。また、水切板１００をベース２０から取り外す場合には、作業者またはユーザーが共通固定ねじ９４を緩めても共通固定ねじ９４が樹脂ワッシャー９５から抜け落ちにくい。このように、水切板１００の取り付けおよび取り外しの作業において、共通固定ねじ９４および樹脂ワッシャー９５が落下しにくいため、その作業が中断されるおそれが低減される。
【０１３４】
（１２）屋外換気口１０によれば、水切板１００の長手方向の端部がフード６０の側部フランジ６２よりも外側に飛び出ている。この構成によれば、フード６０の側部フランジ６２の外面を伝って流れる液体、または、外壁２００のうちのフード６０の側部フランジ６２の付近を伝って流れる液体が、水切板１００のうちの側部フランジ６２よりも外側に飛び出た部分により案内される。このため、外壁２００におけるフード６０の周囲の部分が一層汚れにくくなる。
【０１３５】
（１３）屋外換気口１０によれば、水切板１００とはサイズが異なる別の水切板をベース２０に取り付けることができる。例えば、予め用意された水切板１００よりも大型の水切板をベース２０に取り付けた場合には、外壁２００を汚れにくくする効果がより高められる。また、予め用意された水切板１００よりも小型の水切板をベース２０に取り付けた場合には、水切板が目に付きにくくなるため、屋外換気口１０が高い意匠性を有しているという印象をユーザーに与えることに貢献する。このように、屋外換気口１０によれば、様々な構成の水切板を取り付けることができるため、ユーザーの要望に一層柔軟に応じることができる。
【０１３６】
（１４）屋外換気口１０によれば、水切板がベースと完全に一体化している別の形態の屋外換気口と比較して、以下のとおり、種々の有利な効果が得られる。なお、別の形態の屋外換気口は、水切板がベースと完全に一体化している点を除いて、屋外換気口１０と実質的に同一の構成を有する。
【０１３７】
屋外換気口１０によれば、フード６０が新しいフード６０に交換され、新しいフード６０の塗装と水切板１００の塗装との色合いが大きく異なることにより、ユーザーが、その色合いの相違を解消することを望むことがある。しかし、別の形態の屋外換気口によれば、新しいフードの塗装との色合いを合わせるために水切板を含むベース全体を外壁から取り外し、新しいベースに交換する必要がある。この場合、ベース等の周囲に充填されているコーキング剤を剥がす作業が必要になるため、ユーザーに大きな負担がかかる。一方、屋外換気口１０によれば、フード６０および水切板１００を合わせて交換することができる。このため、ベース２０を交換しなくとも、フード６０の塗装と水切板１００の塗装との色合いとを合わせることができる。
【０１３８】
別の形態の屋外換気口によれば、水切板がベースの側部よりも外側に飛び出ていることにより、ユーザーが、その屋外換気口を含めた外壁の外観の意匠性が損なわれていると感じることがある。その場合、ユーザーは、外壁の外観の意匠性を高めるために、設置された屋外換気口に代えて、水切板を含まない屋外換気口を設置する等の処置を望むことがある。また、ユーザーは、屋外換気口が実際に外壁に設置されてから、このような意匠性に関する問題にはじめて気付くことがある。このため、屋外換気口を設置する前にその形状等を検討するだけでは、上記のような問題を十分に回避しづらいという側面もある。そして、屋外換気口が実際に外壁に設置された後に、外壁の外観の意匠性に関するユーザーの要望を満たすためには、ベース等の周囲に充填されているコーキング剤を剥がす作業が必要になるため、ユーザーに大きな負担がかかる。
【０１３９】
一方、屋外換気口１０によれば、外壁２００に設置された後に、ユーザーが水切板１００を省略することを希望する場合には、共通固定ねじ９４を回して水切板１００をベース２０から取り外すだけでその要望を満たすことができる。このため、別の形態の屋外換気口と比較して、作業に関する負担およびコストの面において大きな効果が得られる。
【０１４０】
別の形態の屋外換気口によれば、水切板がフードの側壁よりも外側に飛び出ているため、その屋外換気口を設置する場所によっては、水切板の端部が周囲の構造物と干渉するおそれがある。この場合、その場所に屋外換気口を設置するためには、サイズが小さい別の屋外換気口、または、水切板を含まない別の屋外換気口を用意する等の処置が必要になる。すなわち、当初に用意された屋外換気口の設置を断念し、それとは別の屋外換気口を用意する必要がある。
【０１４１】
一方、屋外換気口１０によれば、水切板１００よりも長手方向の幅が狭い別の水切板を用意すること、または、水切板１００をベース２０に取り付けない第２の使用形態（図１Ｂ参照）を選択することにより、周囲の構造物と水切板１００との干渉を回避することができる。このため、別の形態の屋外換気口とは異なり、当初に用意された屋外換気口１０をそのまま外壁２００に設置することができる。このため、別の形態の屋外換気口と比較して、作業に関する負担およびコストの面において大きな効果が得られる。
【０１４２】
（実施の形態２）
図１４は、実施の形態２の屋外換気口１０Ａの斜視構造を示している。この屋外換気口１０Ａにおける実施の形態１の屋外換気口１０との主な相違点は、ガラリ１５０が付加されている点である。
【０１４３】
フード６０の側部フランジ６２には、それぞれ、ガラリ１５０を取り付けるためのフランジ６７が形成されている。このフランジ６７には、ガラリ固定ねじ９７をねじ込むためのねじ穴６７Ａが形成されている。なお、屋外換気口１０Ａの別の形態によれば、フランジ６７に相当するフランジが固定板金７０に形成される。
【０１４４】
ガラリ１５０を構成する材料の一例は、ステンレスまたはアルミニウムである。ガラリ１５０は、フード６０の下部開口部６５を覆うことにより、下部開口部６５を介して内部空間６４に異物が侵入することを妨げる。ガラリ１５０は、さらに、ダクト２１０（図１参照）を介して室内から排出された汚れを含む空気を外壁２００から離れるように案内することにより、外壁２００が汚れることを抑制する。ガラリ１５０には、ガラリ固定ねじ９７を通すための孔１５１が形成されている。
【０１４５】
ガラリ固定ねじ９７は、ガラリ１５０の孔１５１を通過し、樹脂ワッシャー９５との間にガラリ１５０を挟み込むように樹脂ワッシャー９５がしまりばめされ、フード６０のねじ穴６７Ａにねじ込まれる。フード６０およびガラリ１５０は、ガラリ固定ねじ９７により互いに固定される。なお、ユーザーは、フード６０にガラリ１５０が取り付けられた使用形態、および、フード６０からガラリ１５０が取り外された使用形態を任意に選択できる。
【０１４６】
（実施の形態３）
図１５は、実施の形態３の屋外換気口１０Ｂのベースの頂部フランジ側の上方向の断面構造を示している。この屋外換気口１０Ｂにおける実施の形態１の屋外換気口１０（図１Ａ等）との主な相違点は、ベース２０Ａの側部の形状の構成が異なる。
【０１４７】
まず、屋外換気口１０Ｂによれば、ベース２０Ａの側部すなわち両側部がベース２０Ａのフード６０側である正面側に向けて換気孔２１Ｃ（図２等参照）側へ傾斜するよう折り曲げられた傾斜曲げ部２７が形成されている。そして、傾斜曲げ部２７には、曲げ加工により形成されたＲ部分２２Ｂが存在している。そして、図示された例によれば、Ｒ部分２２Ｂは頂部フランジ２３の縁よりもベース２０の外側に突出している。そして、傾斜曲げ部２７とウェブ２８の正面とは互いに面接触していない。Ｒ部分２２Ｂの頂部は、フード６０の側部フランジ６２の内面と接触し、側部フランジ６２を内側から支持している。Ｒ部分２２Ｂと側部フランジ６２との接触状態は、実質的に線接触とみなせる接触状態である。側部フランジ６２が傾斜曲げ部２７により支持されていることにより、側部フランジ６２が内部空間６４側に変形することが傾斜曲げ部２７により妨げられる。
【０１４８】
なお、傾斜曲げ部２７は側部フランジ６２側に傾斜させた方がいいが、傾斜させしすぎると従来技術の課題が生じるので、側部フランジ６２が傾斜曲げ部２７に接触する傾斜ならどんな傾斜でもよい。
【０１４９】
この構成によれば、ユーザーがフード６０をベース２０Ａと組み合わせるときに、ベース２０Ａに対するフード６０の位置が適正な位置からずれたとしても、そのフード６０の側部フランジ６２が傾斜曲げ部２７に接触し案内されるため、フード６０の側部フランジ６２が傾斜曲げ部２７の内側に入り込むおそれがさらに低くなる。そして、ユーザーは、その状態から継続してフードを回動させることにより、フード６０の側部フランジ６２をベース２０Ａの傾斜曲げ部２７の外側に確実に配置することができる。
【０１５０】
このように、屋外換気口１０Ｂによれば、フード６０をベース２０Ａと組み合わせる作業において、フード６０をベース２０Ａから離さなくともベース２０Ａに対するフード６０の位置を調整できる。このため、フード６０の取り付けに関する作業性がさらに向上する。
【０１５１】
さらに、実施の形態１に記載したベース２０の側部をへミング曲げ加工で折り返し２２が形成される場合と比較して、ベース２０の側部の曲げ加工の工数を低減するとともに、屋外換気口１０Ｂを塗装する時に折返し２２（図１２等参照）が不十分な場合に生じる隙間に加工油が残留し脱脂加工不良等を要因とする塗装不良の発生の低減を図ることができる。
【０１５２】
（変形例）
本屋外換気口が取り得る具体的な形態は、各実施の形態に例示された形態に限定されない。以下に示される各実施の形態の変形例はその一例である。
【０１５３】
・変形例のベース２０によれば、折り返し２２の内面とウェブ２１の正面との間に隙間が形成される。
【０１５４】
・変形例のベース２０によれば、折り返し２２に代えて、次のようなガイドがベース２０の側部に形成される。変形例のガイドは、ウェブ２１から正面側に向けて立ち上がるようにＬ曲げ加工され、さらに、その端部がベース２０の内側に向けてＬ曲げ加工されている。別の変形例のガイドは、ウェブ２１から正面側に向けて立ち上がるようにＬ曲げ加工され、さらに、その端部がベース２０の内側に向けてカール曲げ加工されている。別の変形例のガイドは、ウェブ２１との付け根からその全体がベース２０の内側に向けてカール曲げ加工されている。
【０１５５】
・変形例のフード６０によれば、フード側取付部７３に相当するフード側取付部がフード６０の側部フランジ６２に直接的に形成される。
【０１５６】
・変形例の水切板１００によれば、水切板側取付部１４０に相当する水切板側取付部が、水切板１００とは別に形成され、水切板１００に固定される。
【０１５７】
・変形例の屋外換気口１０は、個別に形成されたフード６０および固定板金７０に代えて、フード６０および固定板金７０が一体化された構造に相当する構造を持つフードを有する。
【０１５８】
・変形例の屋外換気口１０によれば、フード側取付部７３とベース２０の凹部２６との間にワッシャーが配置される。すなわち、フード側取付部７３が間接的に凹部２６上に配置される。
【０１５９】
・変形例の屋外換気口１０によれば、水切板側取付部１４０とフード側取付部７３との間に樹脂ワッシャー９５が配置されない。すなわち、水切板側取付部１４０が直接的にフード側取付部７３上に配置される。
【０１６０】
・変形例の屋外換気口１０によれば、フード側取付部７３の幅および水切板側取付部１４０の幅とおおよそ一致するように、凹部２６の幅が設定される。この場合には、凹部２６にフード側取付部７３および水切板側取付部１４０が配置されたとき、凹部２６に対する各取付部７３，１４０のおおよその位置が決められる。このため、凹部２６の幅がフード側取付部７３の幅および水切板側取付部１４０の幅よりも広い場合と比較して、フード６０および水切板１００をベース２０に取り付ける作業に関する作業性が向上する。
【０１６１】
・変形例の屋外換気口１０によれば、フード側取付部７３および水切板側取付部１４０の一方の幅と一致するように、または、おおよそ一致するように、凹部２６の幅が設定される。すなわち、フード側取付部７３および水切板側取付部１４０の他方の幅が、凹部２６の幅よりも狭い。この場合にも、凹部２６にフード側取付部７３および水切板側取付部１４０が配置されたとき、凹部２６に対する一方の取付部の位置がしっかり決められる。または、凹部２６に対する一方の取付部のおおよその位置が決められる。このため、凹部２６の幅がフード側取付部７３の幅および水切板側取付部１４０の幅よりも広い場合と比較して、フード６０および水切板１００をベース２０に取り付ける作業に関する作業性が向上する。
【０１６２】
・変形例のフード６０およびルーフ８０は、第２のリベット９２に代えてねじによりベース２０に固定される。この場合には、フード６０およびルーフ８０の取り外しに関する作業性が向上する。
【０１６３】
・変形例の屋外換気口１０によれば、ベース２０の正面の一部がフード６０に覆われないようにベース２０およびフード６０が構成される。
【０１６４】
・水切板１００の形状は、任意に変更できる。一例によれば、水切板１００が全体的に湾曲した形状を有する。
【０１６５】
・水切板１００およびフード６０をベース２０に取り付けるための構造は、任意に変更できる。一例によれば、ベース２０の凹部２６がベース２０から省略され、フード側取付部７３がウェブ２１の正面上に配置され、フード側取付部７３上に水切板側取付部１４０が配置される。そして、ベース２０のウェブ２１、フード側取付部７３、および、水切板側取付部１４０が共通固定ねじ９４により互いに固定される。また、別の一例によれば、フード６０および水切板１００が個別にベース２０に取り付けられる。その場合には、フード側取付部７３を配置するための凹部がベース２０にさらに形成され、フード側取付部７３およびその凹部がねじにより互いに固定される。また、水切板側取付部１４０がベース２０の凹部２６に配置され、水切板側取付部１４０および凹部２６がねじにより互いに固定される。
【０１６６】
・フード６０および水切板１００が個別にベース２０に取り付けられる上記変形例の一例によれば、フード側取付部７３が配置される凹部、および、水切板側取付部１４０が配置される凹部が互いに連続的した１つの凹部を構成する。
【０１６７】
・変形例のベース２０によれば、２箇所の凹部２６の間にも凹部が形成され、それらが互いに連続した１つの凹部を構成する。
【０１６８】
・変形例の屋外換気口１０は、バックフレーム４０を介してベース２０が外壁２００に設置される構成に代えて、ベース２０が直接的に外壁２００に設置される構成を有する。
【０１６９】
・変形例の屋外換気口１０は、ルーフ８０に代えて、フード６０の上部開口部６６の全体を覆う天井が形成される。
【０１７０】
・変形例の屋外換気口１０によれば、水切板１００がフード６０の側部フランジ６２よりも外側に飛び出さないように水切板１００のサイズが設定される。すなわち、水切板１００の長手方向の寸法がフード６０の幅と同じ寸法、または、フード６０の幅よりも狭い寸法に設定される。
【０１７１】
・変形例の屋外換気口１０は、ベース２０に水切板１００を取り付けるための構造に代えて、フード６０に水切板１００を取り付けるための構造を有する。その一例によれば、フード６０の下部に、水切板１００を取り付けるための取付部が形成される。水切板１００には、水切板側取付部１４０に代えて、その取付部に取り付けるための取付部が形成される。
【０１７２】
・変形例の屋外換気口１０は、水切板１００がベース２０に取り付けられた状態であっても、その正面視または側面視により水切板１００が視認されにくい、または、視認されない構造を有する。その一例によれば、水切板１００のおおよそ全体、または、水切板１００の全体を覆うようにフード６０が形成される。また、別の一例によれば、屋外換気口１０は、実施の形態１の水切板１００よりも小型の水切板を有する。この小型の水切板は、そのおおよそ全体、または、全体がフード６０に覆われるようにベース２０に取り付けられる。一方、屋外換気口１０がこのような構造を持つ場合であっても、ユーザーが水切板を必要としない場合があり得る。本屋外換気口によれば、水切板を任意に取り付けおよび取り外しできるため、そのようなユーザーの要望を満たすことができる。
【０１７３】
・変形例の水切板１００は、ベース２０に代えて、フード６０に取り付けること、および、フード６０から取り外すことができるように構成される。このような水切板１００を有する屋外換気口１０は、例えば次のような構成を有する。フード６０の側部フランジ６２には、固定板金７０に代えて、水切板１００を取り付けるための第２のフード側取付部が取り付けられる。または、第２のフード側取付部がフード６０に直接的に形成される。第２のフード側取付部は、固定板金７０のフード側取付部７３と類似する構造を有する。
【０１７４】
水切板１００のウェブ１１０には、水切板側取付部１４０に代えて、第２のフード側取付部に取り付けるための第２の水切板側取付部が形成される。または、第２の水切板側取付部が、水切板１００とは別に形成されて水切板１００に取り付けられる。第２の水切板側取付部は、フード６０の内部空間６４において第２のフード側取付部と対面するように形成される。そして、第２のフード側取付部および第２の水切板側取付部がねじにより互いに固定されることにより、水切板１００がフード６０に取り付けられる。
【０１７５】
この変形例によれば、ユーザーが、フード６０に水切板１００が取り付けられた使用形態、および、フード６０から水切板１００が取り外された使用形態を任意に選択できる。このため、ユーザーの多様な要望に応じることができる。
【０１７６】
・変形例の水切板１００は、ベース２０およびフード６０のそれぞれに取り付けること、および、ベース２０およびフード６０のそれぞれから取り外すことができるように構成される。
【０１７７】
・ベース２０への水切板１００の取り付け、および、ベース２０からの水切板１００の取り外しをユーザーが任意に選択するための構造の具体的な形態は、任意の選択事項である。その形態の一例として、以下の（ａ）〜（ｃ）の形態が挙げられる。
【０１７８】
（ａ）変形例の屋外換気口１０は、水切板１００を共通固定ねじ９４によりベース２０に固定する構造に代えて、雄および雌の関係を有する突起および受部の一方をベース２０および水切板１００の一方に有し、突起および受部の他方をベース２０および水切板１００の他方に有する。この屋外換気口１０によれば、ユーザーは、水切板１００の突起または受部をベース２０の受部または突起と結合することにより、水切板１００をベース２０に取り付けることができる。また、ユーザーは、そのように結合された水切板１００の突起または受部をベース２０の受部または突起から離すことにより、水切板１００をベース２０から取り外すことができる。
【０１７９】
（ｂ）上記（ａ）の変形例をさらに変形した屋外換気口１０は、雄および雌の関係を有する突起および受部の一方をフード６０および水切板１００の一方に有し、突起および受部の他方をフード６０および水切板１００の他方に有する。
【０１８０】
（ｃ）変形例の屋外換気口１０は、水切板１００を共通固定ねじ９４によりベース２０に固定する構造に代えて、リベットにより水切板１００およびベース２０に固定する。このリベットは、ベース２０が外壁２００に設置された状態において、工具により取り外すことができる位置に取り付けられる。また、リベットについては、再利用できないタイプのリベット、および、再利用できるタイプのリベットのいずれも用いることができる。再利用できるタイプのリベットが用いられる場合には、水切板１００の取り外しに関する作業性が向上する。
【０１８１】
・変形例の屋外換気口１０は、個別に構成されたベース２０およびフード６０に代えて、これらベース２０およびフード６０が一体化した構造に相当する構造を持つベースを有する。
【０１８２】
・変形例の屋外換気口１０は、深形パイプフード、丸形パイプフード、防風板付フラットフード、または、防風板付フラットフードと称される形態を有する。
【産業上の利用可能性】
【０１８３】
本屋外換気口は、各種の建物の屋内を換気するために外壁に設置することができる。
【符号の説明】
【０１８４】
１０    屋外換気口
１０Ａ  屋外換気口
１０Ｂ  屋外換気口
２０    ベース
２０Ａ  ベース
２１    ウェブ
２１Ａ  孔
２１Ｂ  ねじ穴
２１Ｃ  換気孔
２１Ｄ  水抜き穴
２１Ｅ  孔
２２    折り返し
２２Ａ  Ｒ部分
２２Ｂ  Ｒ部分
２３    頂部フランジ
２３Ａ  孔
２３Ｂ  上部受部
２４    底部フランジ
２５    側部突起
２６    凹部
２６Ａ  ねじ穴
２６Ｂ  取付面
２７    傾斜曲げ部
２８    ウェブ
３０    ベントキャップ
３１    パイプ
３１Ａ  通路
３２    フランジ
３２Ａ  孔
４０    バックフレーム
４０Ａ  孔
４１    ポケット
５０    ルーバー
５１    フランジ
５１Ａ  孔
６０    フード
６１    ウェブ
６２    側部フランジ
６３    頂部フランジ
６３Ａ  孔
６４    内部空間
６５    下部開口部
６６    上部開口部
６７    フランジ
６７Ａ  ねじ穴
７０    固定板金
７１    ウェブ
７２    フランジ
７２Ａ  側部受部
７３    フード側取付部
７３Ａ  孔
７４    挿入空間
８０    ルーフ
８１    ウェブ
８２    整流板
８３    側部フランジ
８４    頂部フランジ
８４Ａ  孔
８５    上部突起
９１    第１のリベット
９２    第２のリベット
９３    ルーバー固定ねじ
９４    共通固定ねじ
９５    樹脂ワッシャー
９６    タッピングねじ
９７    ガラリ固定ねじ
１００  水切板
１１０  ウェブ
１２０  側部フランジ
１３０  頂部フランジ
１４０  水切板側取付部
１４１  孔
１５０  ガラリ
１５１  孔
２００  外壁
２０１  外面
２０２  内面
２０３  換気孔
２１０  ダクト
２１１  開口部
２２０  コーキング剤
３１０  屋外
３２０  屋内
【図１Ａ】
2015194328.tif 000003
【図１Ｂ】
2015194328.tif 000004
【図２】
2015194328.tif 000005
【図３】
2015194328.tif 000006
【図４】
2015194328.tif 000007
【図５】
2015194328.tif 000008
【図６Ａ】
2015194328.tif 000009
【図６Ｂ】
2015194328.tif 000010
【図６Ｃ】
2015194328.tif 000011
【図７】
2015194328.tif 000012
【図８Ａ】
2015194328.tif 000013
【図８Ｂ】
2015194328.tif 000014
【図９Ａ】
2015194328.tif 000015
【図９Ｂ】
2015194328.tif 000016
【図１０Ａ】
2015194328.tif 000017
【図１０Ｂ】
2015194328.tif 000018
【図１１Ａ】
2015194328.tif 000019
【図１１Ｂ】
2015194328.tif 000020
【図１２】
2015194328.tif 000021
【図１３】
2015194328.tif 000022
【図１４】
2015194328.tif 000023
【図１５】
2015194328.tif 000024
【図１６】
2015194328.tif 000025